【手続補正書】
【提出日】平成28年8月19日(2016.8.19)
【手続補正１】
【補正対象書類名】明細書
【補正対象項目名】００４９
【補正方法】変更
【補正の内容】
【００４９】
種々の例を説明した。これらのおよび他の例は、添付の特許請求の範囲内にある。
本発明は、以下の態様を含んでいる。
（１）給水源からの水を受け入れるように接続された成分水発生器、該成分水発生器は、給水を処理し、そして規定の仕様に適合する成分水を産出するように構成されている；および、
空洞を有する洗浄機であって、該空洞中に洗浄するために物品を配置し、かつ洗浄サイクルの間の特定の時間に該空洞中に該成分水を受け入れるように構成された洗浄機、
を含んでなるシステムであって、
規定された成分水仕様は、全溶解固形物仕様と硬度イオン仕様の少なくとも１つを含んでいる、システム。
（２）前記成分水を受け入れそして貯蔵し、前記洗浄機へその後に供給するための貯蔵タンクを更に含む、（１）記載のシステム。
（３）所定の量の１種もしくは２種以上の化学製品を、前記洗浄機へ、前記洗浄サイクルの間の所定の時間に供給する、自動化された化学製品分配器を更に含む、（１）記載のシステム。
（４）前記化学製品分配器が、成分水を受け入れ、そして前記１種もしくは２種以上の化学製品の少なくとも１つの分配の間に、受け入れた成分水を用いる、（３）記載のシステム。
（５）前記全溶解固形物仕様が、４００百万分率（ｐｐｍ）未満を含み、かつ硬度イオン仕様が６０ｐｐｍ未満を含む、（１）記載のシステム。
（６）前記全溶解固形物仕様が、１００百万分率（ｐｐｍ）未満を含み、かつ硬度イオン仕様が１０ｐｐｍ未満を含む、（１）記載のシステム。
（７）前記成分発生器が、逆浸透システムを含む、（１）記載のシステム。
（８）前記成分水発生器が、混合樹脂床脱イオンシステム、蒸留システム、または電気分解式脱イオンシステムの少なくとも１つを含む、（１）記載のシステム。
（９）前記洗浄機が、洗濯機である、（１）記載のシステム。
（１０）前記成分水発生器が、要求に応じて成分水を、前記洗浄機に、前記洗浄サイクルの間に供給する、（１）記載のシステム。
（１１）前記洗浄機が、前記成分水を、貯蔵タンクから、前記洗浄サイクルの間に抜き出す、（１）記載のシステム。
（１２）洗浄される前記物品が、繊維製品を含む、（１）記載のシステム。
（１３）給水源からの水を受け入れるように接続された成分水発生器、該成分水発生器は、該給水を処理して、そして規定された仕様に適合する成分水を産出する；
該成分水を受け入れそして貯蔵し、前記洗浄機へその後に供給するための貯蔵タンク；
該貯蔵タンク中の成分水の量が閾値の水準未満か否かを検出するために配置された貯蔵タンクセンサー；
該貯蔵タンクセンサーから受け取る情報を基に、成分水の発生を制御するように構成された成分水発生器制御器；
空洞を有する洗浄機であって、該空洞中に洗浄のために物品が配置される、洗浄機；および、
該貯蔵タンクから該空洞中へ、洗浄サイクルの間の１つもしくは２つ以上の特定の時間に、成分水を供給するように制御するように構成された洗浄機制御器、
を含んでなるシステムであって、
規定された成分水仕様は、全溶解固形物仕様と硬度イオン仕様の少なくとも１つを含んでいる、システム。
（１４）前記成分水発生器制御器が、前記貯蔵タンクセンサーから受け取った情報が、前記貯蔵タンク中の成分水の量が、閾値の水準未満であることを示す場合に、成分水の発生を制御する、（１３）記載のシステム。
（１５）前記洗浄機が、洗濯機である、（１３）記載のシステム。
（１６）所定の量の１種もしくは２種以上の化学製品を、前記洗浄機に、前記洗浄サイクルの間の所定の時間に供給する自動化された化学製品分配器を更に含む、（１３）記載のシステム。
（１７）前記化学製品分配器が、前記１種もしくは２種以上の化学製品の少なくとも１種の分配の間に、成分水を受け入れる、（１６）記載のシステム。
（１８）前記全溶解固形物仕様が、４００百万分率（ｐｐｍ）未満を含み、かつ硬度イオン仕様が６０ｐｐｍ未満を含む、（１３）記載のシステム。
（１９）前記全溶解固形物仕様が、１００百万分率（ｐｐｍ）未満を含み、かつ硬度イオン仕様が１０ｐｐｍ未満を含む、（１３）記載のシステム。
（２０）前記成分水発生器が、逆浸透システム、混合樹脂床脱イオンシステム、蒸留システム、または電気分解式脱イオンシステムの少なくとも１つを含む、（１３）記載のシステム。
【手続補正２】
【補正対象書類名】特許請求の範囲
【補正対象項目名】全文
【補正方法】変更
【補正の内容】
【特許請求の範囲】
【請求項１】
給水源からの水を受け入れるように接続された成分水発生器であって、給水を処理し、そして規定の仕様に適合する成分水を産出するように構成されている成分水発生器；
空洞を有する洗浄機であって、該空洞中に洗浄するために物品を配置し、かつ洗浄サイクルの間の特定の時間に該空洞中に該成分水を受け入れるように構成された洗浄機、および、
所定の量の１種もしくは２種以上の化学製品を、該洗浄機へ、該洗浄サイクルの間の所定の時間に供給する、自動化された化学製品分配器であって、該成分水を受け入れ、かつ該受け入れた成分水を、該１種もしくは２種以上の化学製品の少なくとも１つの分配の間に用いるように構成されている化学製品分配器、
を含んでなるシステムであって、
規定された成分水仕様は、２００百万分率（ｐｐｍ）未満の全溶解固形物仕様と２０ｐｐｍ未満の硬度イオン仕様の少なくとも１つを含んでいる、
システム。
【請求項２】
前記成分水を受け入れそして貯蔵し、前記洗浄機へその後に供給するための貯蔵タンクを更に含む、請求項１記載のシステム。
【請求項３】
前記全溶解固形物仕様が、１００百万分率（ｐｐｍ）未満を含み、かつ硬度イオン仕様が１０ｐｐｍ未満を含む、請求項１記載のシステム。
【請求項４】
前記成分発生器が、逆浸透システムを含む、請求項１記載のシステム。
【請求項５】
前記成分水発生器が、混合樹脂床脱イオンシステム、蒸留システム、または電気分解式脱イオンシステムの少なくとも１つを含む、請求項１記載のシステム。
【請求項６】
前記洗浄機が、洗濯機である、請求項１記載のシステム。
【請求項７】
前記成分水発生器が、要求に応じて成分水を、前記洗浄機に、前記洗浄サイクルの間に供給する、請求項１記載のシステム。
【請求項８】
前記洗浄機が、前記成分水を、貯蔵タンクから、前記洗浄サイクルの間に抜き出す、請求項１記載のシステム。
【請求項９】
洗浄される前記物品が、繊維製品を含む、請求項１記載のシステム。
【請求項１０】
給水源からの水を受け入れるように接続された成分水発生器であって、該給水を処理して、そして規定された仕様に適合する成分水を産出するように構成された成分水発生器；
該成分水を受け入れそして貯蔵し、前記洗浄機へその後に供給するための貯蔵タンク；
該貯蔵タンク中の成分水の量が閾値の水準未満か否かを検出するために配置された貯蔵タンクセンサー；
該貯蔵タンクセンサーから受け取る情報を基に、成分水の発生を制御するように構成された成分水発生器制御器；
空洞を有する洗浄機であって、該空洞中に洗浄のために物品が配置される、洗浄機；および、
該貯蔵タンクから該空洞中へ、洗浄サイクルの間の１つもしくは２つ以上の特定の時間に、成分水を供給するように制御するように構成された洗浄機制御器、
所定の量の１種もしくは２種以上の化学製品を、該空洞へ、該洗浄サイクルの間の所定の時間に供給する、自動化された化学製品分配器であって、該成分水を受け入れ、かつ該受け入れた成分水を、該１種もしくは２種以上の化学製品の少なくとも１つの分配の間に用いるように構成されている化学製品分配器、
を含んでなるシステムであって、
規定された成分水仕様は、２００百万分率（ｐｐｍ）未満の全溶解固形物仕様と２０ｐｐｍ未満の硬度イオン仕様の少なくとも１つを含んでいる、システム。
【請求項１１】
前記成分水発生器制御器が、前記貯蔵タンクセンサーから受け取った情報が、前記貯蔵タンク中の成分水の量が、閾値の水準未満であることを示す場合に、成分水の発生を制御する、請求項１０記載のシステム。
【請求項１２】
前記洗浄機が、洗濯機である、請求項１０記載のシステム。
【請求項１３】
前記全溶解固形物仕様が、１００百万分率（ｐｐｍ）未満を含み、かつ硬度イオン仕様が１０ｐｐｍ未満を含む、請求項１０記載のシステム。
【請求項１４】
前記成分水発生器が、逆浸透システム、混合樹脂床脱イオンシステム、蒸留システム、または電気分解式脱イオンシステムの少なくとも１つを含む、請求項１０記載のシステム。